(57)【特許請求の範囲】
【請求項１】
キャリアアグリゲーションを行うために構成されたワイヤレス通信デバイスであって、
複数のワイヤレス信号を受信するように構成された少なくとも１つのアンテナと、
第１のダウンコンバート回路を備える第１のトランシーバと、
第２のダウンコンバート回路を備える第２のトランシーバと、
前記第１のトランシーバ上の低雑音増幅器から前記第２のトランシーバの前記第２のダウンコンバート回路に第１のアナログ信号をルーティングするトランシーバ間接続と
を備え、ここにおいて、前記トランシーバ間接続は、前記第１のトランシーバ上の前記低雑音増幅器の出力と前記第２のトランシーバの前記第２のダウンコンバート回路の入力との間に結合される第１の回線を備え、前記トランシーバ間接続は、異なる帯域上のキャリア周波数をアグリゲートするように構成されたアーキテクチャが単一の帯域上の非隣接キャリア周波数からの信号を処理することを可能にし、前記トランシーバ間接続は、２つの無線周波数の経路が非隣接キャリア周波数上で同時に信号を受信することを可能にする、ワイヤレス通信デバイス。
【請求項２】
前記トランシーバ間接続がまた、前記第２のトランシーバ上の低雑音増幅器から前記第１のトランシーバの前記第１のダウンコンバート回路に第２の信号をルーティングする、請求項１に記載のワイヤレス通信デバイス。
【請求項３】
前記トランシーバ間接続がさらに、前記第１のトランシーバ上および前記第２のトランシーバ上の低雑音増幅器の出力と前記第１のダウンコンバート回路および前記第２のダウンコンバート回路の入力との間に結合された切換接続を備える、請求項１に記載のワイヤレス通信デバイス。
【請求項４】
前記トランシーバ間接続がさらに、第２の回線を備え、前記第２の回線が前記第２のトランシーバ上の低雑音増幅器の出力と前記第１のダウンコンバート回路の入力との間に結合された、請求項１に記載のワイヤレス通信デバイス。
【請求項５】
前記トランシーバ間接続はさらに、前記トランシーバ間接続が複数のダウンコンバート回路に複数の低雑音増幅器をルーティングすることを可能にする追加の低雑音増幅器と相互接続とスイッチとを備える、請求項１に記載のワイヤレス通信デバイス。
【請求項６】
前記ワイヤレス通信デバイスが、４つのアンテナも、パワースプリッタも、外部低雑音増幅器も必要としない、請求項１に記載のワイヤレス通信デバイス。
【請求項７】
複数のワイヤレス信号を受信するための方法であって、
複数の信号をワイヤレス受信することと、
前記複数の信号を増幅することと、
第１のトランシーバ上の第１のダウンコンバート回路に前記複数の信号のうちの第１の信号を与えることと、
第２のトランシーバ上の第２のダウンコンバート回路に前記複数の信号のうちの第２の信号を与えることと、
前記第１のダウンコンバート回路を使用して前記第１の信号を処理することと、
前記第２のダウンコンバート回路を使用して前記第２の信号を処理することと
を備え、ここにおいて、前記方法は、前記第１のトランシーバ上の低雑音増幅器から前記第２のトランシーバの前記第２のダウンコンバート回路に第１のアナログ信号をルーティングするトランシーバ間接続を備えるワイヤレス通信デバイスによって実行され、前記トランシーバ間接続は、前記第１のトランシーバ上の前記低雑音増幅器の出力と前記第２のトランシーバの前記第２のダウンコンバート回路の入力との間に結合される第１の回線を備え、前記トランシーバ間接続は、異なる帯域上のキャリア周波数をアグリゲートするように構成されたアーキテクチャが単一の帯域上の非隣接キャリア周波数からの信号を処理することを可能にし、前記トランシーバ間接続は、２つの無線周波数の経路が非隣接キャリア周波数上で同時に信号を受信することを可能にする、方法。
【請求項８】
前記ワイヤレス通信デバイスは、前記複数のワイヤレス信号を受信するように構成された少なくとも１つのアンテナを備える、請求項７に記載の方法。
【請求項９】
前記トランシーバ間接続がまた、前記第２のトランシーバ上の低雑音増幅器から前記第１のトランシーバの前記第１のダウンコンバート回路に第２の信号をルーティングする、請求項７に記載の方法。
【請求項１０】
前記トランシーバ間接続がさらに、前記第１のトランシーバ上および前記第２のトランシーバ上の低雑音増幅器の出力と前記第１のダウンコンバート回路および前記第２のダウンコンバート回路の入力との間に結合された切換接続を備える、請求項７に記載の方法。
【請求項１１】
前記トランシーバ間接続がさらに第２の回線を備え、前記第２の回線が前記第２のトランシーバ上の低雑音増幅器の出力と前記第１のダウンコンバート回路の入力との間に結合された、請求項７に記載の方法。
【請求項１２】
前記トランシーバ間接続はさらに、前記トランシーバ間接続が複数のダウンコンバート回路に複数の低雑音増幅器をルーティングすることを可能にする追加の低雑音増幅器と相互接続とスイッチとを備える、請求項７に記載の方法。
【請求項１３】
前記ワイヤレス通信デバイスが、４つのアンテナも、パワースプリッタも、外部低雑音増幅器も必要としない、請求項７に記載の方法。
【請求項１４】
複数のワイヤレス信号を受信するための装置であって、
複数の信号をワイヤレス受信するための手段と、
前記複数の信号を増幅するための手段と、
第１のトランシーバ上の第１のダウンコンバート回路に前記複数の信号のうちの第１の信号を与えるための手段と、
第２のトランシーバ上の第２のダウンコンバート回路に前記複数の信号のうちの第２の信号を与えるための手段と、
前記第１のダウンコンバート回路を使用して前記第１の信号を処理するための手段と、
前記第２のダウンコンバート回路を使用して前記第２の信号を処理するための手段と
を備え、ここにおいて、トランシーバ間接続は、前記第１のトランシーバ上の低雑音増幅器から前記第２のトランシーバの前記第２のダウンコンバート回路に第１のアナログ信号をルーティングし、前記トランシーバ間接続は、前記第１のトランシーバ上の前記低雑音増幅器の出力と前記第２のトランシーバの前記第２のダウンコンバート回路の入力との間に結合される第１の回線を備え、前記トランシーバ間接続は、異なる帯域上のキャリア周波数をアグリゲートするように構成されたアーキテクチャが単一の帯域上の非隣接キャリア周波数からの信号を処理することを可能にし、前記トランシーバ間接続は、２つの無線周波数の経路が非隣接キャリア周波数上で同時に信号を受信することを可能にする、装置。
【請求項１５】
前記装置は、前記複数のワイヤレス信号を受信するように構成された少なくとも１つのアンテナを備える、請求項１４に記載の装置。
【請求項１６】
前記第１のアナログ信号は、無線周波アナログ信号を備える、請求項１に記載のワイヤレス通信デバイス。
【発明の詳細な説明】
【技術分野】
【０００１】
関連出願
[0001]  本出願は、「NON-ADJACENT CARRIER AGGREGATION IN A MOBILE DEVICE」と題する２０１１年５月１７日に出願された米国仮特許出願第６１／４８７，１７２号に関し、その優先権を主張する。
【０００２】
[0002]  本開示は、一般に、通信システムのためのワイヤレスデバイスに関する。より詳細には、本開示は、非隣接キャリアアグリゲーション（non-adjacent carrier aggregation）アーキテクチャのためのシステムおよび方法に関する。
【背景技術】
【０００３】
[0003]  電子デバイス（セルラー電話、ワイヤレスモデム、コンピュータ、デジタル音楽プレーヤ、全地球測位システムユニット、携帯情報端末、ゲームデバイスなど）は、日常生活の一部になっている。現在、自動車からハウジングロックまで、あらゆるものに小型コンピューティングデバイスが入っている。電子デバイスの複雑さは、ここ数年で劇的に増加した。たとえば、多くの電子デバイスは、デバイスを制御するのを助ける１つまたは複数のプロセッサ、ならびにプロセッサとデバイスの他の部分とをサポートするためのいくつかのデジタル回路を有する。
【０００４】
[0004]  これらの電子デバイスは、互いにおよびネットワークとワイヤレス通信し得る。これらの電子デバイスによる情報の需要が増加するにつれて、ダウンリンクスループットも増加した。ダウンリンクスループットを増加させる１つのそのような方法は、キャリアアグリゲーションの使用である。キャリアアグリゲーションでは、必要とされる帯域幅（したがって必要とされるスループット）を与えるために、複数のキャリアが物理レイヤ上でアグリゲートされ得る。
【０００５】
[0005]  電子デバイスは、バッテリー寿命を最大にすることが望ましいことがある。電子デバイスはしばしば、限られた動作時間をもつバッテリー上で動作するので、電子デバイスの電力消費量の低減は電子デバイスのデザイアビリティおよび機能性を高め得る。
【０００６】
[0006]  電子デバイスはまた、より小型に、より安価になっている。サイズの縮小とコストの減少の両方を可能にするために、追加の回路およびより複雑な回路が集積回路上で使用されている。したがって、回路によって使用されるダイ面積が縮小すると、電子デバイスのサイズとコストの両方が低減し得る。電子デバイスのコストとサイズを最小限に抑えながら、また電子デバイスの電力消費量を最小限に抑えながら、電子デバイスがキャリアアグリゲーションに参加することを可能にする電子デバイスに対する改善によって、利益が実現され得る。
【発明の概要】
【０００７】
[0007]  キャリアアグリゲーションを行うために構成されたワイヤレス通信デバイスについて説明する。本ワイヤレス通信デバイスは、複数のワイヤレス信号を受信するように構成された少なくとも１つのアンテナを含む。本ワイヤレス通信デバイスは、第１のダウンコンバート回路を含む第１のトランシーバをも含む。本ワイヤレス通信デバイスは、第２のダウンコンバート回路を含む第２のトランシーバをさらに含む。本ワイヤレス通信デバイスは、第１のトランシーバ上の低雑音増幅器から第２のトランシーバの第２のダウンコンバート回路に第１の信号をルーティングするトランシーバ間接続（inter-transceiver connection）をも含む。
【０００８】
[0008]  トランシーバ間接続は、第１のトランシーバ上の低雑音増幅器の出力に結合され得る。トランシーバ間接続はまた、第２のトランシーバ上の低雑音増幅器から第１のトランシーバの第１のダウンコンバート回路に第２の信号をルーティングし得る。トランシーバ間接続は、第２のトランシーバ上の低雑音増幅器の出力に結合され得る。トランシーバ間接続は、第１のトランシーバ上および第２のトランシーバ上の低雑音増幅器の出力と第１のダウンコンバート回路および第２のダウンコンバート回路の入力との間に結合された切換（switched connection）接続を含み得る。
【０００９】
[0009]  トランシーバ間接続は、第１の回線（line）と第２の回線とを含み得る。第１の回線は、第１のトランシーバ上の低雑音増幅器の出力と第２のダウンコンバート回路の入力との間に結合され得る。第２の回線は、第２のトランシーバ上の低雑音増幅器の出力と第１のダウンコンバート回路の入力との間に結合され得る。トランシーバ間接続は、トランシーバ間接続がいくつかの構成（configuration）を有することを可能にする追加の低雑音増幅器と相互接続（interconnect）とスイッチとを含み得る。本ワイヤレス通信デバイスは、４つのアンテナも、パワースプリッタも、外部低雑音増幅器も必要としなくてもよい。
【００１０】
[0010]  複数のワイヤレス信号を受信するための方法についても説明する。複数の信号がワイヤレス受信される。複数の信号は増幅される。複数の信号のうちの第１の信号は、第１のトランシーバ上の第１のダウンコンバータに与えられる。複数の信号のうちの第２の信号は、第２のトランシーバ上の第２のダウンコンバータに与えられる。第１の信号は、第１のダウンコンバータを使用して処理される。第２の信号は、第２のダウンコンバータを使用して処理される。
【００１１】
[0011]  複数のワイヤレス信号を受信するための装置について説明する。本装置は、複数の信号をワイヤレス受信するための手段を含む。本装置は、複数の信号を増幅するための手段をも含む。本装置は、第１のトランシーバ上の第１のダウンコンバータに複数の信号のうちの第１の信号を与えるための手段をさらに含む。本装置は、第２のトランシーバ上の第２のダウンコンバータに複数の信号のうちの第２の信号を与えるための手段をも含む。本装置は、第１のダウンコンバータを使用して第１の信号を処理するための手段をさらに含む。本装置は、第２のダウンコンバータを使用して第２の信号を処理するための手段をも含む。
【図面の簡単な説明】
【００１２】
【図１】[0012]  本システムおよび方法において使用するためのワイヤレス通信デバイスを示す図。
【図２】[0013]  単一の帯域上の非隣接キャリア周波数のアグリゲーション、ならびに異なる帯域上のキャリア周波数のアグリゲーションを行うように構成されたアーキテクチャを示すブロック図。
【図３】[0014]  別個の帯域に対してキャリアアグリゲーションを行うように構成されたアーキテクチャを示すブロック図。
【図４】[0015]  トランシーバ上の低雑音増幅器（ＬＮＡ：low noise amplifier）の出力が別のトランシーバのダウンコンバート回路にどのように接続され得るかの一構成を示すブロック図。
【図５】[0016]  トランシーバ上の低雑音増幅器（ＬＮＡ）の出力が別のトランシーバのダウンコンバート回路にどのように接続され得るかの別の構成を示すブロック図。
【図６】[0017]  トランシーバ上の低雑音増幅器（ＬＮＡ）の出力が別のトランシーバのダウンコンバート回路にどのように接続され得るかのさらに別の構成を示すブロック図。
【図７】[0018]  トランシーバ上の低雑音増幅器（ＬＮＡ）の出力が別のトランシーバのダウンコンバート回路にどのように接続され得るかの別の構成を示すブロック図。
【図８】[0019]  単一の帯域上の複数のキャリア周波数をアグリゲートするための方法の流れ図。
【図９】[0020]  ワイヤレス通信デバイス内に含まれ得るいくつかの構成要素を示す図。
【発明を実施するための形態】
【００１３】
[0021]  ３rd  Ｇｅｎｅｒａｔｉｏｎ  Ｐａｒｔｎｅｒｓｈｉｐ  Ｐｒｏｊｅｃｔ（３ＧＰＰ）は、グローバルに適用可能な第３世代（３Ｇ）モバイルフォン仕様を定義することを目的とする電気通信協会のグループ間のコラボレーションである。３ＧＰＰ  Ｌｏｎｇ  Ｔｅｒｍ  Ｅｖｏｌｕｔｉｏｎ（ＬＴＥ）は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  ＬＴＥでは、移動局またはモバイルデバイスは「ユーザ機器」（ＵＥ）と呼ばれることがある。
【００１４】
[0022]  ３ＧＰＰ仕様は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）として一般に知られている発展型Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）仕様に基づく。３ＧＰＰ規格はリリースとして構造化されている。したがって、３ＧＰＰについての説明では、しばしば、あるリリースまたは別のリリースにおける機能に言及する。たとえば、リリース９９は、ＣＤＭＡエアインターフェースを組み込んだ、最初のＵＭＴＳ第３世代（３Ｇ）ネットワークを規定する。リリース６は、動作をワイヤレスローカルエリアネットワーク（ＬＡＮ）と一体化し、高速アップリンクパケットアクセス（ＨＳＵＰＡ）を追加する。リリース８はデュアルダウンリンクキャリアを導入し、リリース９はデュアルキャリア動作をＵＭＴＳのためのアップリンクに拡張する。
【００１５】
[0023]  ＣＤＭＡ２０００は、ワイヤレスデバイス間で音声、データおよびシグナリングを送るために符号分割多元接続（ＣＤＭＡ）を使用する第３世代（３Ｇ）技術規格のファミリーである。ＣＤＭＡ２０００は、ＣＤＭＡ２０００  １Ｘ、ＣＤＭＡ２０００  ＥＶ−ＤＯ  Ｒｅｖ．０、ＣＤＭＡ２０００  ＥＶ−ＤＯ  Ｒｅｖ．ＡおよびＣＤＭＡ２０００  ＥＶ−ＤＯ  Ｒｅｖ．Ｂを含み得る。１ｘまたは１ｘＲＴＴはコアＣＤＭＡ２０００ワイヤレスエアインターフェース規格を指す。１ｘは、より詳細には１×Ｒａｄｉｏ  Ｔｒａｎｓｍｉｓｓｉｏｎ  Ｔｅｃｈｎｏｌｏｇｙを指し、ＩＳ−９５において使用されるのと同じ無線周波（ＲＦ）帯域幅を示す。１ｘＲＴＴは、６４個の追加のトラフィックチャネルを順方向リンクに追加する。ＥＶ−ＤＯはＥｖｏｌｕｔｉｏｎ−Ｄａｔａ  Ｏｐｔｉｍｉｚｅｄを指す。ＥＶ−ＤＯは、無線信号を介したデータのワイヤレス送信のための電気通信規格である。
【００１６】
[0024]  図１に、本システムおよび方法において使用するためのワイヤレス通信デバイス１０４を示す。ワイヤレス通信デバイス１０４は、端末、アクセス端末、ユーザ機器（ＵＥ）、加入者ユニット、局などと呼ばれることもあり、それらの機能の一部または全部を含み得る。ワイヤレス通信デバイス１０４は、セルラーフォン、携帯情報端末（ＰＤＡ）、ワイヤレスデバイス、ワイヤレスモデム、ハンドヘルドデバイス、ラップトップコンピュータ、ＰＣカード、コンパクトフラッシュ（登録商標）、外部または内部モデム、有線電話などであり得る。ワイヤレス通信デバイス１０４は移動または固定であり得る。ワイヤレス通信デバイス１０４は、所与の瞬間にダウンリンクおよび／またはアップリンク上の０、１つまたは複数の基地局と通信し得る。ダウンリンク（すなわちフォワードリンク）は、基地局からワイヤレス通信デバイス１０４への通信リンクを指し、アップリンク（すなわちリバースリンク）は、ワイヤレス通信デバイス１０４から基地局への通信リンクを指す。アップリンクおよびダウンリンクは、通信リンク、または通信リンクのために使用されるキャリアを指し得る。
【００１７】
[0025]  ワイヤレス通信デバイス１０４は、基地局など、他のワイヤレスデバイスを含むワイヤレス通信システム１００において動作し得る。基地局は、１つまたは複数のワイヤレス通信デバイス１０４と通信する局である。基地局は、アクセスポイント、ブロードキャスト送信機、ノードＢ、発展型ノードＢなどと呼ばれることもあり、それらの機能の一部または全部を含み得る。各基地局は、特定の地理的エリアに通信カバレージを与える。基地局は、１つまたは複数のワイヤレス通信デバイス１０４に通信カバレージを与え得る。「セル」という用語は、その用語が使用されるコンテキストに応じて、基地局および／またはそれのカバレージエリアを指すことができる。
【００１８】
[0026]  ワイヤレス通信システム１００（たとえば、多元接続システム）における通信は、ワイヤレスリンクを介した送信によって達成され得る。そのような通信リンクは、単入力単出力（ＳＩＳＯ）システム、多入力単出力（ＭＩＳＯ）システムまたは多入力多出力（ＭＩＭＯ）システムを介して確立され得る。多入力多出力（ＭＩＭＯ）システムは、それぞれ、データ伝送のための複数（ＮＴ）個の送信アンテナと複数（ＮＲ）個の受信アンテナとを装備した、（１つまたは複数の）送信機と（１つまたは複数の）受信機とを含む。ＳＩＳＯシステムおよびＭＩＳＯシステムは多入力多出力（ＭＩＭＯ）システムの特定の例である。多入力多出力（ＭＩＭＯ）システムでは、複数の送信アンテナおよび受信アンテナによって生成された追加の次元数を利用した場合、性能の改善（たとえば、スループットの向上、容量の増大または信頼性の改善）が可能である。
【００１９】
[0027]  ワイヤレス通信システム１００は、単入力多出力（ＳＩＭＯ）と多入力多出力（ＭＩＭＯ）の両方を利用し得る。ワイヤレス通信システム１００は、利用可能なシステムリソース（たとえば、帯域幅および送信パワー）を共有することによって複数のワイヤレス通信デバイス１０４との通信をサポートすることが可能な多元接続システムであり得る。そのような多元接続システムの例としては、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、３rd  Ｇｅｎｅｒａｔｉｏｎ  Ｐａｒｔｎｅｒｓｈｉｐ  Ｐｒｏｊｅｃｔ（３ＧＰＰ）Ｌｏｎｇ  Ｔｅｒｍ  Ｅｖｏｌｕｔｉｏｎ（ＬＴＥ）システム、空間分割多元接続（ＳＤＭＡ）システムおよび発展型高速パケットアクセス（ＨＳＰＡ＋）システムがある。
【００２０】
[0028]  ワイヤレス通信デバイス１０４は、異なる帯域中の異なるキャリア周波数上のワイヤレス／無線周波（ＲＦ）信号を受信し得る。単一の帯域上の単一のキャリア周波数は、ワイヤレス通信システム１００内のデバイス通信による絶えず増大する帯域幅の需要を満たし得ないので、異なる帯域上のキャリア周波数が単一のワイヤレス通信デバイス１０４によって同時に利用され得る。言い換えれば、ワイヤレス通信デバイス１０４は、第１の帯域上の第１のキャリア周波数と第２の帯域上の第２のキャリア周波数とに同時に同調し得る。別個の帯域上のキャリアアグリゲーションとして知られるこの機能は、ワイヤレス通信デバイス１０４が個々に別個の帯域よりも大きい合成帯域幅を使用して通信することを可能にする。したがって、ワイヤレス通信デバイス１０４は、別個の帯域上のキャリアアグリゲーションが可能であり得る。
【００２１】
[0029]  ワイヤレス通信デバイス１０４は１つまたは複数のアンテナ１０６を含み得る。アンテナ１０６は受信信号１０２を受信し得る。一構成では、受信信号１０２は、第１のキャリア周波数上の信号と第２のキャリア周波数上の信号とを含み得る。第１のキャリア周波数と第２のキャリア周波数とは異なる帯域中にあり得る。受信信号１０２は、第１のキャリア周波数または第２のキャリア周波数と同じ帯域内あるいは異なる帯域内の追加のキャリア周波数上の追加の信号を含み得る。
【００２２】
[0030]  ワイヤレス通信デバイス１０４は信号スプリッタ１１２を含み得る。一構成では、信号スプリッタ１１２は、ワイヤレス通信デバイス１０４上の受信（Ｒｘ）チェーン内の第１のトランシーバチップ１１０ａと第２のトランシーバチップ１１０ｂとの前にあり得る。この場合、信号スプリッタ１１２は、クワッドプレクサ（quad-plexer）などのマルチプレクサであり得る。別の構成では、信号スプリッタ１１２は、トランシーバチップ１１０のうちの１つ内にあり得る。
【００２３】
[0031]  第１のトランシーバチップ１１０ａは、アンテナ１０６のうちの１つに結合され得る。第１のトランシーバチップ１１０ａは、送信機と、（信号をベースバンドに変換するためのダウンコンバート回路を含む）受信機とを含み得る。第１のトランシーバチップ１１０ａは第１のキャリア信号１１８を受信し、ベースバンド第１のキャリア信号１３１をベースバンドデジタルモデム１２２に出力する。第２のトランシーバチップ１１０ｂもアンテナ１０６に結合され得る。一構成では、第２のトランシーバチップ１１０ｂは、第１のトランシーバチップ１１０ａと同じアンテナ１０６に結合され得る。第２のトランシーバチップ１１０ｂも、送信機と、（ダウンコンバート回路をもつ）受信機とを含み得る。第２のトランシーバチップ１１０ｂは、第２のキャリア信号１２０を受信し、ベースバンド第２のキャリア信号１４７をベースバンドデジタルモデム１２２に出力する。キャリア信号は、信号によって使用されるキャリア周波数を指し得る。
【００２４】
[0032]  信号スプリッタ１１２がトランシーバチップ１１０のうちの１つ内にあるとき、そのトランシーバチップ１１０のみがアンテナ１０６から受信信号１０２を受信し得る。受信信号１０２を受信するトランシーバチップ１１０内で、受信信号１０２は分割され、他のトランシーバチップ１１０に渡され得る。
【００２５】
[0033]  ベースバンドデジタルモデム１２２は、ベースバンド第１のキャリア信号１３１とベースバンド第２のキャリア信号１４７とに対して処理を実行する。たとえば、ベースバンドデジタルモデム１２２はアナログデジタル変換器（ＡＤＣ）を使用して信号をデジタル領域に変換し、デジタル信号プロセッサ（ＤＳＰ）を使用して信号に対してデジタル処理を実行し得る。一構成では、第１のキャリア信号１１８はローバンド中にあり得、第２のキャリア信号１２０はミッドバンド内にある。これは、Ｒｅｌ−１０によれば、バンド間動作またはデュアルバンド４キャリアと呼ばれることがある。
【００２６】
[0034]  第１のトランシーバチップ１１０ａおよび第２のトランシーバチップ１１０ｂはデュアルバンドマルチキャリアアグリゲーション構成を使用し得る。デュアルバンドマルチキャリアアグリゲーション構成はダイ間信号ルーティングを必要とし、したがって第１のトランシーバチップ１１０ａと第２のトランシーバチップ１１０ｂとが互いに近接して配置されていることが必要であり得る。デュアルバンドマルチキャリアアグリゲーションでは、２つの別個のセットが使用される。各セットは、隣接するキャリアのグループである。したがって、第１のキャリアは、実際には、隣接するキャリアの第１のグループであり得、第２のキャリアは、実際には、隣接するキャリアの第２のグループであり得る。第１のキャリアと第２のキャリアとは、同じ周波数帯域中で非隣接であり得る。セット中の隣接するキャリアのグループは、２つ以上のキャリアであり得る。各セットは、異なる数のキャリアを有し得る。
【００２７】
[0035]  図２は、単一の帯域上の非隣接キャリア周波数のアグリゲーション、ならびに異なる帯域上のキャリア周波数のアグリゲーションを行うように構成されたアーキテクチャを示すブロック図である。アーキテクチャはワイヤレス通信デバイス１０４内に実装され得る。アーキテクチャは一例であり、アーキテクチャ中に示された構成要素は、製造問題、所望の機能および／または他のファクタに応じて、異なる集積回路（ＩＣ）に組み合わせられ、および／または分離され得る。図示したアーキテクチャでは、２つのシンセサイザのみが、雑音指数（ＮＦ：noise factor）の軽微な劣化のみを伴って動作している。さらに、図示したアーキテクチャでは、外部低雑音増幅器（ＬＮＡ）は不要である。
【００２８】
[0036]  アーキテクチャは１つまたは複数のアンテナ２０６を含み得る。１つまたは複数のアンテナ２０６は、異なる帯域中の異なるキャリア周波数からワイヤレス／無線周波（ＲＦ）信号を受信し、対応する電気受信信号２０２をＲＦスイッチ２６２に与え得る。ＲＦスイッチ２６２は、電気信号をデュプレクサ２６６ａ〜ｂおよびクワッドプレクサ２６４ａ〜ｃなど、１つまたは複数のマルチプレクサ／デマルチプレクサに中継し得る。マルチプレクサ／デマルチプレクサは、受信した信号を第１のトランシーバ２１０ａにルーティングし得る。アーキテクチャは、異なる帯域上のキャリア周波数をアグリゲートすることが可能な回路と比較して追加のコストおよび／または複雑さはほとんどなしに、単一の帯域上の非隣接キャリア周波数からの信号を処理し得る。図示のマルチプレクサ／デマルチプレクサは他のフィルタ処理ブロックと交換（replace）され得る。
【００２９】
[0037]  信号がルーティングされる方法は、信号が受信された帯域（たとえば、ローバンドまたはミッドバンド）に依存し得る。各帯域は単一のキャリア周波数を有し得るので、各対応する信号は別様にルーティングされ得る。たとえば、ＲＦスイッチ２６２は、（１９３０メガヘルツ（ＭＨｚ）と１９９０ＭＨｚとの間の周波数をもつ）第１の帯域からの合成信号を単一の回線上でクワッドプレクサ２６４ｂに与え得る。合成信号は単一の帯域に対応するので、クワッドプレクサ２６４ｂは、合成信号を単一の回線上で、第１の帯域からの信号を処理するように構成された第１のトランシーバ２１０ａにルーティングし得る。第１のトランシーバ２１０ａの低雑音増幅器（ＬＮＡ）を通過した後、合成信号は第１のキャリア信号２１８と第２のキャリア信号２２０とに分割される。第１のキャリア信号２１８は、第１のキャリア信号２１８の帯域内の信号を処理するように構成された第１のトランシーバ２１０ａのダウンコンバート回路２６８ａに与えられる。第２のキャリア信号２２０は、トランシーバ間接続２８０を介して第２のトランシーバ２１０ｂのダウンコンバート回路２６８ｂに与えられる。第２のトランシーバ２１０ｂのダウンコンバート回路２６８ｂは、第２のキャリア信号２２０の帯域内の信号を処理するように構成され得る。第１のトランシーバ２１０ａおよび第２のトランシーバ２１０ｂは、それぞれ異なる信号を処理するように構成され、異なるキャリア周波数からの信号のアグリゲーションを可能にし得る。
【００３０】
[0038]  各トランシーバ２１０は、信号をモデム２２２に与えるより前に信号を処理するための回路を含み得る（アナログデジタル変換器（ＡＤＣ）２７８ａ〜ｂを使用して受信信号がデジタル信号からアナログ信号に変換され得るか、またはデジタルアナログ変換器（ＤＡＣ）２７６ａ〜ｂを使用して送信信号がデジタル信号からアナログ信号に変換され得る）。トランシーバ２１０中の回路は、低雑音増幅器（ＬＮＡ）と、各入力のための他の増幅器または増幅回路と、ダウンコンバート回路２６８ａ〜ｂとを含み得る。トランシーバ２１０は送信機能をも有し得るので、トランシーバ２１０は、ＤＡＣ２７６ａ〜ｂによって与えられる発信信号のためのアップコンバート回路２６９ａ〜ｂと低雑音増幅器（ＬＮＡ）とをも含み得る。
【００３１】
[0039]  信号からキャリア周波数を除去し、および／またはデジタルへの変換のために信号を準備するための他の機能を実行することができるダウンコンバート回路２６８ｂは、多様に変化し得る。これらの変形形態は所望の機能、製造問題などに依存し得る。たとえば、ダウンコンバート回路２６８とアップコンバート回路２６９の両方が、混合器と、位相ロックループ（ＰＬＬ）２７２ａ〜ｄと、発振器と、低域フィルタ（ＬＰＦ）２７０ａ〜ｄとを含み得る。ダウンコンバート回路２６８は、様々な帯域のうちのいずれかからの入力を受信するように構成され得る。したがって、ダウンコンバート回路２６８は、多数のキャリア周波数に対応する信号を処理することが可能であり得る。
【００３２】
[0040]  上記で説明したように、アーキテクチャは、第２のキャリア信号２２０を第１のトランシーバ２１０ａから第２のトランシーバ２１０ｂのダウンコンバート回路２６８ｂにルーティングするトランシーバ間接続２８０を含み得る。トランシーバ間接続２８０は、異なる帯域上のキャリア周波数をアグリゲートすることが可能なアーキテクチャへの追加コストおよび／または複雑さはほとんどなしに、アーキテクチャが単一の帯域上の非隣接キャリア周波数からの信号を処理することを可能にし得る。トランシーバ間接続２８０は、第１のトランシーバ２１０ａと第２のトランシーバ２１０ｂとが単一のＩＣに組み込まれるか、別個のＩＣに組み込まれるかに応じて、プリント回路板（ＰＣＢ）上および／または集積回路中の単純なトレース（または他の信号管路（signal conduit））など、任意のタイプの相互接続であり得る。第１のトランシーバ２１０ａと第２のトランシーバ２１０ｂとが別個のＩＣに組み込まれる場合、別個のＩＣは、トランシーバ間接続２８０を可能にするために互いに極めて近接している必要があり得る。トランシーバ間接続２８０はダイ間信号ルーティング（die-to-die signal routing）と呼ばれることもある。
【００３３】
[0041]  一構成では、１つまたは複数のアンテナ２０６は、単一の帯域中の２つのキャリア周波数に対応する信号を受信し得る。したがって、図２のアーキテクチャは、単一の帯域上の非隣接キャリア周波数ならびに異なる帯域上のキャリア周波数をアグリゲートし得る。合成信号はＲＦスイッチ２６２にルーティングされ得る。ＲＦスイッチ２６２は、次いで、合成信号を単一の回線上で第１のトランシーバ２１０ａにルーティングするクワッドプレクサ２６４ｂに、合成信号を単一の回線上で与え得、第１のトランシーバ２１０ａは、単一の帯域からの信号を処理するように構成される。第１のトランシーバ２１０ａ上の低雑音増幅器（ＬＮＡ）を通過した後、信号は、第１のキャリア信号２１８と第２のキャリア信号２２０とに分割され得る（信号は単一の帯域内の非隣接キャリア周波数であり得る）。第１のキャリア信号２１８は、第１のトランシーバ２１０ａのダウンコンバート回路２６８ａに与えられ得る。第２のキャリア信号２２０は、トランシーバ間接続２８０を介して第２のトランシーバ２１０ｂのダウンコンバート回路２６８ｂに与えられ得る。各トランシーバ２１０は異なる信号を処理するように構成され、それによって、異なるキャリア周波数からの信号のアグリゲーションを可能にし得る。第１のトランシーバ２１０ａ上のダウンコンバート回路２６８ａは、ベースバンド第１のキャリア信号２３１をモデム２２２上のアナログデジタル変換器（ＡＤＣ）２７８ａに出力し得る。第２のトランシーバ２１０ｂ上のダウンコンバート回路２６８ｂは、ベースバンド第２のキャリア信号２４７をモデム２２２上のアナログデジタル変換器（ＡＤＣ）２７８ｂに出力し得る。
【００３４】
[0042]  トランシーバ間接続２８０の使用により、より複雑なおよび／またはよりコストがかかり得る単一の帯域上の非隣接キャリア周波数からの信号を処理するための他の解決策を回避し得る。トランシーバ間接続２８０は、たとえば、トランシーバ２１０の外部の低雑音増幅器（ＬＮＡ）と信号スプリッタとを使用してトランシーバ２１０の入力に同じ帯域の異なる信号をルーティングする必要を防ぎ得る。したがって、追加の構成要素ならびにこれらの追加の構成要素を相互接続する追加のルーティング回線が回避され得る。トランシーバ間接続２８０はまた、影響を及ぼされるトランシーバ２１０のダイ面積を場合によっては増加させるであろう余分のダウンコンバート回路をトランシーバ２１０の一方または両方に導入する必要を防ぎ得る。
【００３５】
[0043]  図３は、別個の帯域に対してキャリアアグリゲーションを行うように構成されたアーキテクチャを示すブロック図である。図３のアーキテクチャは、ワイヤレス通信デバイス１０４内で使用され得る。アーキテクチャは一例であり、アーキテクチャ中に示された構成要素は、製造問題、所望の機能および／または他のファクタに応じて、異なる集積回路（ＩＣ）に組み合わせられ、および／または分離され得る。図示したアーキテクチャでは、２つのシンセサイザのみが、雑音指数（ＮＦ）の軽微な劣化のみを伴って動作している。さらに、図示したアーキテクチャでは、外部低雑音増幅器（ＬＮＡ）は不要である。
【００３６】
[0044]  アーキテクチャは１つまたは複数のアンテナ３０６を含み得る。１つまたは複数のアンテナ３０６は、異なる帯域中の異なるキャリア周波数からワイヤレス／無線周波（ＲＦ）信号を受信し、対応する電気受信信号３０２をＲＦスイッチ３６２に与え得る。ＲＦスイッチ３６２は、電気信号をデュプレクサ３６６ａ〜ｂおよびクワッドプレクサ３６４ａ〜ｃなど、１つまたは複数のマルチプレクサ／デマルチプレクサに中継し得る。マルチプレクサ／デマルチプレクサのうちの１つは、信号スプリッタ１１２として働き得る。信号スプリッタ１１２として働いているマルチプレクサ／デマルチプレクサは各キャリアの信号を分離し得、これらの信号は、それぞれ、異なるトランシーバ３１０ａ〜ｂにルーティングされ得る。図示のマルチプレクサ／デマルチプレクサは他のフィルタ処理ブロックと交換され得る。
【００３７】
[0045]  信号がルーティングされる方法は、信号が受信された帯域（たとえば、ローバンドまたはミッドバンド）に依存し得る。各帯域は単一のキャリア周波数を有し得るので、各対応する信号は別様にルーティングされ得る。たとえば、ＲＦスイッチ３６２は、（１９３０メガヘルツ（ＭＨｚ）と１９９０ＭＨｚとの間の周波数をもつ）第１の帯域と（２１１０ＭＨｚと２１５５ＭＨｚとの間の周波数をもつ）第２の帯域とからの合成信号を単一の回線上で、合成信号を別個の信号に分割するクワッドプレクサ３６４ｂに与え得る。信号は、次いで、第１の帯域上の受信信号のための１つの回線と第２の帯域上の受信信号のための別の回線という異なる回線上でルーティングされ得る。したがって、第１の帯域上の受信信号（すなわち、第１のキャリア信号３１８）は第１のトランシーバ３１０ａにルーティングされ、第２の帯域上の受信信号（すなわち、第２のキャリア信号３２０）は第２のトランシーバ３１０ｂにルーティングされ得る。たとえば、第１のトランシーバ３１０ａは帯域１、２、５、９および１７からの信号を受信するための入力を有し、第２のトランシーバ３１０ｂは帯域４、８および１３からの信号を受信するための入力を有し得る。
【００３８】
[0046]  各トランシーバ３１０は、信号をモデム３２２に与えるより前に信号を処理するための回路を含み得る（アナログデジタル変換器（ＡＤＣ）３７８ａ〜ｂを使用して受信信号がデジタル信号からアナログ信号に変換され得るか、デジタルアナログ変換器（ＤＡＣ）３７６ａ〜ｂを使用して送信信号がデジタル信号からアナログ信号に変換され得る）。トランシーバ３１０中の回路は、低雑音増幅器（ＬＮＡ）と、各入力のための他の増幅器または増幅回路と、ダウンコンバート回路３６８ａ〜ｂとを含み得る。トランシーバ３１０は送信機能をも有し得るので、トランシーバ３１０は、デジタルアナログ変換器（ＤＡＣ）３７６ａ〜ｂによって与えられる発信信号（outgoing signals）のためのアップコンバート回路３６９ａ〜ｂと低雑音増幅器（ＬＮＡ）とをも含み得る。
【００３９】
[0047]  信号からキャリア周波数を除去し、および／またはデジタルへの変換のために信号３３１、３４７を準備するための他の機能を実行することができるダウンコンバート回路３６８ａ〜ｂは、多様に変化し得る。これらの変形形態は所望の機能、製造問題などに依存し得る。たとえば、ダウンコンバート回路３６８とアップコンバート回路３６９の両方が、混合器と、位相ロックループ（ＰＬＬ）３７２ａ〜ｄと、発振器と、低域フィルタ（ＬＰＦ）３７０ａ〜ｄとを含み得る。ダウンコンバート回路３６８は、様々な帯域のうちのいずれかからの入力を受信するように構成され得る。したがって、ダウンコンバート回路３６８は、多数のキャリア周波数に対応する信号を処理することが可能であり得る。
【００４０】
[0048]  図４は、トランシーバ４１０ａ〜ｂ上の低雑音増幅器（ＬＮＡ）の出力が別のトランシーバ４１０ａ〜ｂのダウンコンバート回路４６８ａ〜ｂにどのように接続され得るかの一構成を示すブロック図である。簡単のために、第１のトランシーバ４１０ａと第２のトランシーバ４１０ｂとの一部分のみと、ただ１つのクワッドプレクサ４６４とが示されている。切換接続４８４ａ〜ｂは、低雑音増幅器（ＬＮＡ）の出力と各ダウンコンバート回路４６８ａ〜ｂの入力との間に結合され得る。各ダウンコンバート回路４６８は、低域フィルタ４７０ａ〜ｂと位相ロックループ（ＰＬＬ）４７２ａ〜ｂとを含み得る。切換接続４８４ａ〜ｂ（信号スプリッタ１１２の一構成）は、必要とされるときにトランシーバ間接続４８０を有効化し、必要とされないときにトランシーバ間接続４８０を無効化するスイッチを含み得る。
【００４１】
[0049]  クワッドプレクサ４６４は、信号が送信される帯域に応じて別様に信号をルーティングし得る。２つのキャリア周波数が第１の帯域上で与えられた場合、クワッドプレクサ４６４は対応する信号を第１の回線上で第１のトランシーバ４１０ａに与え得る。第１のトランシーバ４１０ａは、次いで、トランシーバ間接続４８０を使用して信号を第２のトランシーバ４１０ｂにルーティングし得る。したがって、キャリア周波数の両方からの信号は、それぞれ異なるトランシーバ４１０によってそれぞれ処理され得る。同様に、２つのキャリア周波数が第２の帯域上で与えられた場合、クワッドプレクサ４６４は対応する信号を第２のトランシーバ４１０ｂに与え得る。第２のトランシーバ４１０ｂは、次いで、信号を第１のトランシーバ４１０ａにルーティングし得る。したがって、アーキテクチャは、トランシーバ４１０にルーティングされた任意の帯域中の信号のために非隣接キャリアアグリゲーション（non-adjacent carrier aggregation）を行うことができる。
【００４２】
[0050]  図５は、トランシーバ５１０上の低雑音増幅器（ＬＮＡ）５８２ａ〜ｆの出力が別のトランシーバ５１０のダウンコンバート回路５６８ａ〜ｂにどのように接続され得るかの別の構成を示すブロック図である。第１のトランシーバ５１０ａはダウンコンバート回路５６８ａを含み得る。また、第２のトランシーバ５１０ｂはダウンコンバート回路５６８ｂを含み得る。追加の低雑音増幅器（ＬＮＡ）５８２ｂ〜ｃ、５８２ｅ〜ｆと、追加の低雑音増幅器（ＬＮＡ）５８２ｃ、５８２ｆの出力をダウンコンバート回路５６８ａ〜ｂに直接接続する２つの別個の回線５８０ａ〜ｂとが追加され得る。別個の回線５８０ａ〜ｂは、図１の信号スプリッタ１１２の一構成であり得る。
【００４３】
[0051]  利用されるトランシーバ間接続５８０のタイプは、関係する回路に依存し得る。たとえば、ダウンコンバート回路５６８が電流駆動混合器など、電流駆動入力を含む場合、単純な電気的短絡が利用され得る。ダウンコンバート回路５６８が部分的にまたは完全に電圧駆動であり、入力上に特定のインピーダンスが必要である場合、切換接続が使用され得る。入力インピーダンスが必要とされる場合、切換接続は、所望の機能性を与えるために必要なインピーダンスを与え得る。
【００４４】
[0052]  図６は、トランシーバ６１０上の低雑音増幅器（ＬＮＡ）６８２の出力が別のトランシーバ６１０のダウンコンバート回路６６８ａ〜ｂにどのように接続され得るかのさらに別の構成を示すブロック図である。第１のトランシーバ６１０ａと第２のトランシーバ６１０ｂとが示されている。いくつかの構成を有するトランシーバ間接続２８０を作成するために、追加の低雑音増幅器（ＬＮＡ）６８２ａ〜ｆと相互接続６８０ａ〜ｂとスイッチ６８６ａ〜ｂとが使用され得る。スイッチ６８６ａ〜ｂは、図１の信号スプリッタ１１２の一構成であり得る。第１の構成では、第１のスイッチ６８６ａと第２のスイッチ６８６ｂの両方は、第１のトランシーバ６１０ａからの入力信号を第１のトランシーバ６１０ａのダウンコンバート回路６６８ａと第２のトランシーバ６１０ｂのダウンコンバート回路６６８ｂとにルーティングするために上方に位置され得る。第２の構成では、第１のスイッチ６８６ａと第２のスイッチ６８６ｂの両方は、第２のトランシーバ６１０ｂからの信号を第１のトランシーバ６１０ａのダウンコンバート回路６６８ａと第２のトランシーバ６１０ｂのダウンコンバート回路６６８ｂとにルーティングするために下方に位置され得る。第３の構成では、スイッチ６８６ａ〜ｂは、各トランシーバ６１０の入力信号がそのトランシーバ６１０のダウンコンバート回路６６８にルーティングされるように構成され得る。
【００４５】
[0053]  図７は、トランシーバ７１０上の低雑音増幅器（ＬＮＡ）７８２ａ〜ｆの出力が別のトランシーバ７１０のダウンコンバート回路７６８ａ〜ｂにどのように接続され得るかの別の構成を示すブロック図である。第１のトランシーバ７１０ａと第２のトランシーバ７１０ｂとが示されている。いくつかの構成をもつトランシーバ間接続２８０を作成するために、追加の低雑音増幅器（ＬＮＡ）７８２ａ〜ｆと相互接続とスイッチ７８８ａ〜ｄとが使用され得る。追加のスイッチ７８８ａ〜ｄは、単一のトランシーバ間相互接続２８０の使用を可能にし得る。追加のスイッチ７８８ａ〜ｄは、図１の信号スプリッタ１１２の一構成であり得る。
【００４６】
[0054]  図８は、単一の帯域上の複数のキャリア周波数をアグリゲートするための方法８００の流れ図である。方法８００はワイヤレス通信デバイス１０４によって実行され得る。８０２において、ワイヤレス通信デバイス１０４は複数の信号をワイヤレス受信する。複数の信号の各々は異なるキャリア周波数に対応し得る。各キャリア周波数は、受信した１つまたは複数の他のキャリア周波数の帯域幅とは異なり得る有限の帯域幅を含み得る。
【００４７】
[0055]  ８０４において、集積回路（ＩＣ）を使用して複数の信号を増幅する。８０６において、集積回路（ＩＣ）上の第１のダウンコンバータ２６８ａに第１の信号１１８を与える。８０８において、集積回路（ＩＣ）上の第２のダウンコンバータ２６８ｂに第２の信号１２０を与える。一構成では、第１のダウンコンバータ２６８ａは第１のトランシーバ２１０ａ上にあり得、第２のダウンコンバータ２６８ｂは第２のトランシーバ２１０ｂ上にあり得る。８１０において、第１のダウンコンバータ２６８ａを用いて第１の信号１１８を処理し、８１０において、第２のダウンコンバータ２６８ｂを用いて第２の信号１２０を処理する。これらの処理された信号の各々は、別個のアナログデジタル変換器（ＡＤＣ）２７８に与えられ得る。追加の信号を処理するために追加のダウンコンバータ２６８が使用され得る。
【００４８】
[0056]  図９に、ワイヤレス通信デバイス９０４内に含まれ得るいくつかの構成要素を示す。ワイヤレス通信デバイス９０４は、アクセス端末、移動局、ユーザ機器（ＵＥ）などであり得る。ワイヤレス通信デバイス９０４はプロセッサ９０３を含む。プロセッサ９０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ９０３は中央処理ユニット（ＣＰＵ）と呼ばれることがある。図９のワイヤレス通信デバイス９０４中に単一のプロセッサ９０３のみを示しているが、代替構成では、プロセッサ（たとえば、ＡＲＭとＤＳＰ）の組合せが使用され得る。
【００４９】
[0057]  ワイヤレス通信デバイス９０４はメモリ９０５をも含む。メモリ９０５は、電子情報を記憶することが可能な任意の電子的構成要素であり得る。メモリ９０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施され得る。
【００５０】
[0058]  データ９０７ａおよび命令９０９ａがメモリ９０５に記憶され得る。命令９０９ａは、本明細書で開示する方法を実装するためにプロセッサ９０３によって実行可能であり得る。命令９０９ａを実行することは、メモリ９０５に記憶されたデータ９０７ａの使用を含み得る。プロセッサ９０３が命令９０９を実行すると、命令９０９ｂの様々な部分がプロセッサ９０３上にロードされ得、様々ないくつかのデータ９０７ｂがプロセッサ９０３上にロードされ得る。
【００５１】
[0059]  ワイヤレス通信デバイス９０４は、第１のアンテナ９１７ａと第２のアンテナ９１７ｂとを介したワイヤレス通信デバイス９０４へのおよびワイヤレス通信デバイス９０４からの信号の送信および受信を可能にするための、送信機９１１と受信機９１３とをも含み得る。送信機９１１と受信機９１３とはトランシーバ９１５と総称されることがある。ワイヤレス通信デバイス９０４は、複数の送信機、追加のアンテナ、複数の受信機および／または複数のトランシーバをも含み得る（図示せず）。
【００５２】
[0060]  ワイヤレス通信デバイス９０４はデジタル信号プロセッサ（ＤＳＰ）９２１を含み得る。ワイヤレス通信デバイス９０４は通信インターフェース９２３をも含み得る。通信インターフェース９２３は、ユーザがワイヤレス通信デバイス９０４と対話することを可能にし得る。
【００５３】
[0061]  ワイヤレス通信デバイス９０４の様々な構成要素は、パワーバス、制御信号バス、ステータス信号バス、データバスなどを含み得る、１つまたは複数のバスによって互いに結合され得る。明快のために、図９では、様々なバスをバスシステム９１９として示してある。
【００５４】
[0062]  「判断（determining）」という用語は、多種多様なアクションを包含し、したがって、「判断」は、計算、算出、処理、導出、調査、ルックアップ（たとえば、テーブル、データベースまたは別のデータ構造でのルックアップ）、確認などを含むことができる。また、「判断」は、受信（たとえば、情報を受信すること）、アクセス（たとえば、メモリ中のデータにアクセスすること）などを含むことができる。また、「判断」は、解決、選択、選定、確立などを含むことができる。
【００５５】
[0063]  「に基づいて（based on）」という句は、別段に明記されていない限り、「のみに基づいて（based only on）」を意味しない。言い換えれば、「に基づいて」という句は、「のみに基づいて」と「に少なくとも基づいて（based at least on）」の両方を表す。
【００５６】
[0064]  「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指し得る。
【００５７】
[0065]  「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指し得る。プロセッサがメモリから情報を読み取り、および／または情報をメモリに書き込むことができる場合、メモリはプロセッサと電子通信していると言われる。プロセッサに一体化されたメモリは、プロセッサと電子通信している。
【００５８】
[0066]  「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指し得る。「命令」および「コード」は、単一のコンピュータ可読ステートメントまたは多くのコンピュータ可読ステートメントを備え得る。
【００５９】
[0067]  本明細書で説明する機能は、ハードウェア、ソフトウェア、ファームウェア、またはそれらの組合せで実装され得る。ソフトウェアで実装される場合、機能は１つまたは複数の命令としてコンピュータ可読媒体上に記憶され得る。「コンピュータ可読媒体」または「コンピュータプログラム製品」という用語は、コンピュータによってアクセスされ得る任意の利用可能な媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを搬送または記憶するために使用され得、コンピュータによってアクセスされ得る任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。
【００６０】
[0068]  ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００６１】
[0069]  本明細書で開示する方法は、説明した方法を達成するための１つまたは複数のステップまたはアクションを備える。本方法のステップおよび／または動作は、特許請求の範囲の範囲から逸脱することなく互いに交換され得る。言い換えれば、本明細書で説明する方法の適切な動作のためにステップまたはアクションの特定の順序が必要とされない限り、特定のステップおよび／またはアクションの順序および／または使用は、特許請求の範囲の範囲を逸脱することなく修正され得る。
【００６２】
[0070]  さらに、図８によって示されたものなど、本明細書で説明する方法および技法を実行するためのモジュールおよび／または他の適切な手段は、デバイスによってダウンロードされ、および／または他の方法で取得され得ることを諒解されたい。たとえば、デバイスは、本明細書で説明する方法を実行するための手段の転送を可能にするために、サーバに結合され得る。代替的に、本明細書で説明する様々な方法は、記憶手段をデバイスに結合するかまたは与えるときにデバイスが様々な方法を獲得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。さらに、本明細書で説明する方法および技法をデバイスに与えるための任意の他の好適な技法が利用され得る。
【００６３】
[0071]  特許請求の範囲は、上記に示した厳密な構成および構成要素に限定されないことを理解されたい。特許請求の範囲から逸脱することなく、本明細書で説明するシステム、方法、および装置の構成、動作および詳細において、様々な改変、変更および変形が行われ得る。
以下に、本願出願の当初の特許請求の範囲に記載された発明を付記する。
［Ｃ１］  キャリアアグリゲーションを行うために構成されたワイヤレス通信デバイスであって、
複数のワイヤレス信号を受信するように構成された少なくとも１つのアンテナと、
第１のダウンコンバート回路を備える第１のトランシーバと、
第２のダウンコンバート回路を備える第２のトランシーバと、
前記第１のトランシーバ上の低雑音増幅器から前記第２のトランシーバの前記第２のダウンコンバート回路に第１の信号をルーティングするトランシーバ間接続とを備えるワイヤレス通信デバイス。
［Ｃ２］  前記トランシーバ間接続が、前記第１のトランシーバ上の前記低雑音増幅器の出力に結合された、Ｃ１に記載のワイヤレス通信デバイス。
［Ｃ３］  前記トランシーバ間接続がまた、前記第２のトランシーバ上の低雑音増幅器から前記第１のトランシーバの前記第１のダウンコンバート回路に第２の信号をルーティングする、Ｃ１に記載のワイヤレス通信デバイス。
［Ｃ４］  前記トランシーバ間接続が、前記第２のトランシーバ上の前記低雑音増幅器の出力に結合された、Ｃ３に記載のワイヤレス通信デバイス。
［Ｃ５］  前記トランシーバ間接続が、前記第１のトランシーバ上および前記第２のトランシーバ上の低雑音増幅器の出力と前記第１のダウンコンバート回路および前記第２のダウンコンバート回路の入力との間に結合された切換接続を備える、Ｃ１に記載のワイヤレス通信デバイス。
［Ｃ６］  前記トランシーバ間接続が第１の回線と第２の回線とを備え、前記第１の回線が前記第１のトランシーバ上の低雑音増幅器の出力と前記第２のダウンコンバート回路の入力との間に結合され、前記第２の回線が前記第２のトランシーバ上の低雑音増幅器の出力と前記第１のダウンコンバート回路の入力との間に結合された、Ｃ１に記載のワイヤレス通信デバイス。
［Ｃ７］  前記トランシーバ間接続は、前記トランシーバ間接続がいくつかの構成を有することを可能にする追加の低雑音増幅器と相互接続とスイッチとを備える、Ｃ１に記載のワイヤレス通信デバイス。
［Ｃ８］  前記ワイヤレス通信デバイスが、４つのアンテナも、パワースプリッタも、外部低雑音増幅器も必要としない、Ｃ１に記載のワイヤレス通信デバイス。
［Ｃ９］  複数のワイヤレス信号を受信するための方法であって、
複数の信号をワイヤレス受信することと、
前記複数の信号を増幅することと、
第１のトランシーバ上の第１のダウンコンバータに前記複数の信号のうちの第１の信号を与えることと、
第２のトランシーバ上の第２のダウンコンバータに前記複数の信号のうちの第２の信号を与えることと、
前記第１のダウンコンバータを使用して前記第１の信号を処理することと、
前記第２のダウンコンバータを使用して前記第２の信号を処理することとを備える方法。
［Ｃ１０］  前記方法が、
前記複数のワイヤレス信号を受信するように構成された少なくとも１つのアンテナと、
第１のダウンコンバータを備える第１のトランシーバと、
第２のダウンコンバータを備える第２のトランシーバと、
前記第１のトランシーバ上の低雑音増幅器から前記第２のトランシーバの前記第２のダウンコンバータに前記第１の信号をルーティングするトランシーバ間接続とを備えるワイヤレス通信デバイスによって実行される、Ｃ９に記載の方法。
［Ｃ１１］  前記トランシーバ間接続が、前記第１のトランシーバ上の前記低雑音増幅器の出力に結合された、Ｃ１０に記載の方法。
［Ｃ１２］  前記トランシーバ間接続がまた、前記第２のトランシーバ上の低雑音増幅器から前記第１のトランシーバの前記第１のダウンコンバート回路に第２の信号をルーティングする、Ｃ１０に記載の方法。
［Ｃ１３］  前記トランシーバ間接続が、前記第２のトランシーバ上の前記低雑音増幅器の出力に結合された、Ｃ１２に記載の方法。
［Ｃ１４］  前記トランシーバ間接続が、前記第１のトランシーバ上および前記第２のトランシーバ上の低雑音増幅器の出力と前記第１のダウンコンバート回路および前記第２のダウンコンバート回路の入力との間に結合された切換接続を備える、Ｃ１０に記載の方法。
［Ｃ１５］  前記トランシーバ間接続が第１の回線と第２の回線とを備え、前記第１の回線が前記第１のトランシーバ上の低雑音増幅器の出力と前記第２のダウンコンバート回路の入力との間に結合され、前記第２の回線が前記第２のトランシーバ上の低雑音増幅器の出力と前記第１のダウンコンバート回路の入力との間に結合された、Ｃ１０に記載の方法。
［Ｃ１６］  前記トランシーバ間接続は、前記トランシーバ間接続がいくつかの構成を有することを可能にする追加の低雑音増幅器と相互接続とスイッチとを備える、Ｃ１０に記載の方法。
［Ｃ１７］  前記ワイヤレス通信デバイスが、４つのアンテナも、パワースプリッタも、外部低雑音増幅器も必要としない、Ｃ１０に記載の方法。
［Ｃ１８］  複数のワイヤレス信号を受信するための装置であって、
複数の信号をワイヤレス受信するための手段と、
前記複数の信号を増幅するための手段と、
第１のトランシーバ上の第１のダウンコンバータに前記複数の信号のうちの第１の信号を与えるための手段と、
第２のトランシーバ上の第２のダウンコンバータに前記複数の信号のうちの第２の信号を与えるための手段と、
前記第１のダウンコンバータを使用して前記第１の信号を処理するための手段と、
前記第２のダウンコンバータを使用して前記第２の信号を処理するための手段とを備える装置。
［Ｃ１９］  前記装置が、
前記複数のワイヤレス信号を受信するように構成された少なくとも１つのアンテナと、
第１のダウンコンバータを備える第１のトランシーバと、
第２のダウンコンバータを備える第２のトランシーバと、
前記第１のトランシーバ上の低雑音増幅器から前記第２のトランシーバの前記第２のダウンコンバータに前記第１の信号をルーティングするトランシーバ間接続とを備えるワイヤレス通信デバイスである、Ｃ１８に記載の装置。
［Ｃ２０］  前記トランシーバ間接続が、前記第１のトランシーバ上の前記低雑音増幅器の出力に結合された、Ｃ１９に記載の装置。
【図１】
0005902294.tif 000002
【図２】
0005902294.tif 000003
【図３】
0005902294.tif 000004
【図４】
0005902294.tif 000005
【図５】
0005902294.tif 000006
【図６】
0005902294.tif 000007
【図７】
0005902294.tif 000008
【図８】
0005902294.tif 000009
【図９】
0005902294.tif 000010